(57)【要約】【課題】  充分な強度を保ち、かつ、セパレータが完全に嵌合された後にセパレータが連結具の上側への離脱を防止する従来の連結具の機能を有したまま、工具を用いることなくセパレータの装着作業を行うことである。【解決手段】  金属製で上側を開放した容器状本体７０の前壁部７３内側に、合成樹脂製の蹄形状抜止め体８０を開放端を上側にして嵌合する。抜止め体８０内側に斜め下方に延びたセパレータ抜止め用の舌片８２及び突起８６を形成する。本体７０の左右壁部７２に嵌合孔７２ａを形成し、抜止め体８０外側に突出部８７を形成する。突出部８７が嵌合孔７２ａに嵌合することにより、抜止め体８０を本体７０に固定する。【選択図】        図３
2005232798.tif 000002
【特許請求の範囲】
【請求項１】
壁部により囲まれて上側が開放し、前記壁部の一部の上端を切欠いて成形された嵌合凹部を有する本体と、
前記本体より可撓性の大きい材料で成形され、前記本体内側で前記嵌合凹部を有する壁部の裏側に嵌合された抜止め体とを備え、
棒状のセパレータを前記本体の上側から装着することにより、前記抜止め体の一部又は全部が前記セパレータの押下げにより変形して、前記セパレータが前記嵌合凹部内に挿入され、前記セパレータと前記嵌合凹部が完全に嵌合したときには、前記抜止め体が弾性的に復元して前記セパレータの上面側に突出し前記セパレータの前記嵌合凹部からの離脱を防止する、
枠板セパレータ用連結具。
【請求項２】
前記抜止め体が蹄形に形成され、前記蹄形の開放端が上側を向き、かつ蹄形表面が前記本体の前記嵌合凹部を有する壁部の裏側に密着するように、前記本体に嵌合された請求項１に記載の枠板セパレータ用連結具。
【請求項３】
前記抜止め体の蹄形の両端の一方又は両方に、内側斜め下方に延びた、セパレータ抜止め用舌片が形成された請求項２に記載の枠板セパレータ用連結具。
【請求項４】
前記舌片が、前記抜止め体の２つの開放端の間隔より長く形成された請求項３に記載の枠板セパレータ用連結具。
【請求項５】
前記抜止め体に、前記舌片が上方へ回動したときに前記舌片の突出先端が前記抜止め体の内側と当接する位置より上側に前記舌片が係合する突起が形成された請求項３に記載の枠板セパレータ用連結具。
【請求項６】
前記抜止め体に、前記舌片が前記セパレータにより押込められたときに、前記舌片が嵌入される窪みを形成した請求項３に記載の枠板セパレータ用連結具。
【請求項７】
前記蹄形の抜止め体が、前記本体において前記嵌合凹部を有する壁部の側から見て、側辺となる左右壁部裏側に密着して前記本体に嵌合される請求項２に記載の枠板セパレータ用連結具。
【請求項８】
前記本体において、前記嵌合凹部が上側から下側に狭くなるように形成され、前記蹄形の抜止め体において、蹄形が上側から下側に狭くなるように形成された請求項２記載の枠板セパレータ用連結具。
【請求項９】
前記本体において前記嵌合凹部を有する壁部の側から見て、側辺となる左右壁部に嵌合孔が形成され、前記抜止め体の外側に突出部が形成され、前記突出部が前記嵌合孔に嵌合されることにより、
前記抜止め体が前記本体に固定される請求項１に記載の枠板セパレータ用連結具。
【請求項１０】
前記突出部が、上側の突出量が多くなるように鋸歯状に形成された請求項８に記載の枠板セパレータ用連結具。
【請求項１１】
前記本体が、一面が開放された容器状に形成された請求項１に記載の枠板セパレータ用連結具。
【請求項１２】
前記本体が、前記嵌合凹部を有する壁部の側から見て、側辺となる左右壁部の間隔が上側から下側に向けて狭くなるように形成された請求項１に記載の枠板セパレータ用連結具。
【発明の詳細な説明】
【技術分野】
【０００１】
本発明は、梁用コンクリート型枠を組み立てる際に両側の枠板の内側に取り付けて使用する枠板セパレータ用連結具に関するものである。
【背景技術】
【０００２】
従来の連結具として容器状の本体の１つの壁部にセパレータ嵌合凹部が形成され、セパレータ嵌合凹部の入り口にセパレータ抜止め用の突出部が設けられたものが知られている（特許文献１参照）。
【０００３】
このような連結具は、セパレータ頭部が連結具内に嵌入するようにセパレータをセパレータ嵌合凹部に装着させて使用するものである。セパレータはセパレータ抜止め用突出部を弾性変形させて押し広げ、嵌合凹部内に嵌合される。セパレータが嵌合凹部に嵌合されると、この突出部は弾性的に復元し、セパレータ軸の上面側に被さり、セパレータの抜止めが図られる。
【０００４】
連結具全体はセパレータを結合させるのに必要な強度を備えるように金属で成形される。したがって、セパレータを装着させるには連結具の突出部を弾性変形させるのに大きな力をかける必要があり、セパレータの装着作業にはハンマ等の工具が必要になる。
【特許文献１】実公平６−３７１６５号公報
【発明の開示】
【発明が解決しようとする課題】
【０００５】
本発明は充分な強度を保ち、かつ、セパレータが完全に嵌合された後にセパレータが連結具の上側への離脱を防止する従来の連結具の機能を有したまま、工具を用いることなくセパレータの装着作業を行える連結具を提供することを目的とするものである。
【課題を解決するための手段】
【０００６】
本発明に係る連結具は、壁部により囲まれて上側が開放し、壁部の一部の上端を切欠いて成形された嵌合凹部を有する本体と、本体より可撓性の大きい材料で成形され、本体内側で嵌合凹部を有する壁部の裏側に嵌合された抜止め体とを備え、棒状のセパレータを本体の上側から装着することにより、抜止め体の一部又は全部がセパレータの押下げにより変形して、セパレータが嵌合凹部内に挿入され、セパレータと嵌合凹部が完全に嵌合したときには、抜止め体が弾性的に復元してセパレータの上面側に突出しセパレータの嵌合凹部からの離脱を防止することを特徴としている。
【０００７】
抜止め体は、蹄形に形成され、蹄形の開放端が上側を向き、かつ蹄形表面が本体の嵌合凹部を有する壁部の裏側に密着するように、本体に嵌合されることが好ましい。また、抜止め体の蹄形の両端の一方又は両方に、内側斜め下方に延びた、セパレータ抜止め用舌片が形成されていることが好ましい。
【０００８】
舌片の長さは、抜止め体の２つの開放端の間隔より長く形成されることが好ましく、抜止め体に、舌片が上方へ回動したときに舌片の突出先端が抜止め体の内側と当接する位置より上側に舌片が係合する突起が形成されることが好ましい。さらに、抜止め体に、舌片がセパレータにより押込められたときに、舌片が嵌入される窪みを形成されることが好ましい。
【０００９】
抜止め体は、本体において嵌合凹部を有する壁部の側から見て、側辺となる左右壁部裏側に密着して本体に嵌合されることが好ましい。
【００１０】
本体において嵌合凹部を有する壁部の側から見て、側辺となる左右壁部に嵌合孔が形成され、抜止め体の外側に突出部が形成され、突出部が嵌合孔に嵌合されることにより、抜止め体が本体に固定されることが好ましく、突出部が、上側の突出量が多くなるように鋸歯状に形成されることが好ましい。
【発明の効果】
【００１１】
以上のように本発明によれば、工具を用いることなくセパレータを連結具に装着することができ、装着作業が軽減される、装着後はセパレータの上側からの離脱を防止すると同時に、連結具全体の強度を保つことができる。
【発明を実施するための最良の形態】
【００１２】
以下、本発明の第１の実施形態を図面を参照して説明する。
図１に示すように一対の枠板１０、１０はセパレータ２０により一定の間隔に保持され、これらの枠板１０、１０の間の空間にコンクリートが打設される。
【００１３】
連結具３０はセパレータ２０を枠板１０に固定するために用いられる。連結具３０は連結ボルト４０に連結されて枠板１０に固定される。すなわちこの連結ボルト４０にコーン５０を嵌合させた状態で枠板１０における貫通孔１１に内側から貫通させ、枠板１０の外側で連結ボルト４０に枠板締結具６０を螺合締結させ、枠板１０に連結具３０が結合される。その後配筋等の所定の作業が行われ、向合う連結具３０、３０にセパレータ２０が連結される。このセパレータ２０により、コンクリートによって枠板１０、１０が外側へ広がることが防止される。
【００１４】
図２〜図４に示すように連結具３０は金属製の本体７０に合成樹脂製の抜止め体８０を嵌合して構成されている。本体７０は容器状で上側が開放しており、底壁部７１、左右壁部７２、前壁部７３、及び後壁部７４を備えている。前壁部７３には、上端を切欠いた嵌合凹部７３ａが形成されている。前壁部７３の側から見て、側辺となる左右壁部７２には、嵌合孔７２ａが形成されている。
【００１５】
抜止め体８０は蹄形を有し、内側には嵌合凹部８１が形成されている。また蹄形の両端の一方に舌片８２を有し、舌片８２は内側斜め下方に延びて弾性変形可能である。すなわち舌片８２の基部は他の部分より薄く成形された可撓部８３により連設辺８４に連結されている。連設辺８４に対向する解放辺８５は内側に突起８６が形成されている。連設辺８４、及び解放辺８５の外側には突出部８７がそれぞれ形成されている。
【００１６】
抜止め体８０は開放端が上側になるようにして本体７０の上側より圧入される。すなわち抜止め体８０の外周は本体７０の内面、つまり左右壁部７２及び前壁部７３に密着させられる。また突出部８７と嵌合孔７２ａの嵌合により、抜止め体８０が本体７０の上側に離脱することが防止される。
【００１７】
抜止め体８０は本体７０への圧入時に開放端を閉じる方向に弾性変形する。すなわち抜止め体８０は、突出部８７が本体７０の内面を通過できる状態に変形する。圧入しやすくするために、突出部８７は上側の突出量が多くなるような鋸歯状に形成されている。
【００１８】
舌片８２は、可撓部８３から突出先端８８までの長さが抜止め体８０の２つの開放端の間隔より長く形成される。したがって舌片８２が上方へ回動しても解放辺８５に当接し、それ以上の回動は防止される。一方、突起８６は解放辺８５において舌片８２の回動により突出先端８８が当接する位置よりも上側に形成される。したがって、舌片８２が更に回動しても突起８６に係合することになり、舌片８２の回動は確実に防止される。
【００１９】
連設辺８４の内側には窪み８９が形成される。窪み８９には、舌片８２が嵌入可能である。
【００２０】
セパレータ２０は、セパレータ軸２１の端部にナット２２を螺合して構成されている。ナット２２によりセパレータ頭部２３が形成される。
【００２１】
図１、図５に示すように、上記のように構成されたセパレータ２０を本体７０に連結するときは、セパレータ２０は本体７０の上側から下向きに圧入される。セパレータ頭部２３は左右壁部７２、７２の間に嵌合される。またセパレータ軸２１は嵌合凹部７３ａ、及び嵌合凹部８１に挿入される。
【００２２】
このとき舌片８２はセパレータ軸２１によって押下げられる。そしてセパレータ軸２１が舌片８２の突出先端８８を通過するときに、舌片８２は最大に押込められ窪み８９内に嵌入される。さらに下方に圧入すると舌片８２はセパレータ軸２１から開放されて弾性的に復元する。セパレータ２０と本体３０との嵌合状態においては、セパレータ軸２１の上に舌片８２が被さる。これによりセパレータ軸２１の連結具３０上側への離脱は防止される。
【００２３】
以上のように、本実施形態の枠板セパレータ用連結具によれば、セパレータ軸２１の圧入時に弾性変形する部材は、主に合成樹脂である抜止め体８０であり、本体７０へのセパレータ軸２１の嵌合操作が小さな力で行える。また、抜止め体８０のみが合成樹脂で成形されており、本体７０は金属で成形されるため、連結具３０は全体として充分な強度を備える。
【００２４】
図６に第２の実施形態を示す。第２の実施形態では、本体９０は左右壁部７２、７２の間隔が上側から下側に狭くなるように形成されている。また前壁部７３の嵌合凹部７３ａに形成される空間の間隔は上側から下側に狭くなるように形成されている。抜止め体８０は開放端側に向けて上側から下側に狭くなるように形成されている。なお、他の構成要素は第１の実施形態と同様とする。
【００２５】
第２の実施形態の枠板セパレータ用連結具によれば、本体９０の開放された上面が広いため、本体９０への抜止め体８０の圧入が容易となる。また、セパレータを挿入する入り口が嵌合凹部７３ａ、嵌合凹部８１より広いため、セパレータの装着が容易となる。
【００２６】
図７に第３の実施形態を示す。第３の実施形態では、抜止め体８０の蹄形の両端に舌片８２が形成されている。なお、他の構成要素は第２の実施形態と同様とする。
【００２７】
第３の実施形態の実施形態の枠板セパレータ用連結具によれば、セパレータ軸２１が嵌合凹部７３ａ、及び嵌合凹部８１に挿入されるときに、舌片８２、８２が押下げられる。さらに下方に圧入すると舌片８２、８２はセパレータ軸２１から開放されて弾性的に復元する。セパレータ２０と本体７０との嵌合状態においては、セパレータ軸２１の上に舌片８２、８２が被さる。これによりセパレータ軸２１の連結具３０上側への離脱は防止される。
【図面の簡単な説明】
【００２８】
【図１】本発明の第１の実施形態である連結具を用いて枠板とセパレータの結合構造を示す断面図である。
【図２】本発明の第１の実施形態である連結具の平面図である。
【図３】本発明の第１の実施形態である連結具の図２におけるIII−III線に沿う断面図である。
【図４】本発明の第１の実施形態である連結具の前壁部側から見た正面図である。
【図５】本発明の第１の実施形態である連結具とセパレータの結合構造を示す正面図である。
【図６】本発明の第２の実施形態である連結具の縦断正面図である。
【図７】本発明の第３の実施形態である連結具の縦断正面図である。
【符号の説明】
【００２９】
１０  枠板
２０  セパレータ
２１  セパレータ軸
３０  連結具
４０  連結ボルト
６０  枠板締結具
７０  本体
７２  左右壁部
７２ａ  嵌合孔
７３  前壁部
７３ａ  嵌合凹部
８０  抜止め体
８１  嵌合凹部
８２  舌片
８４  連設辺
８５  解放辺
８６  突起
８７  突出部
８８  突出先端
８９  窪み
【図１】
2005232798.tif 000003
【図２】
2005232798.tif 000004
【図３】
2005232798.tif 000005
【図４】
2005232798.tif 000006
【図５】
2005232798.tif 000007
【図６】
2005232798.tif 000008
【図７】
2005232798.tif 000009